(57)【要約】【課題】  本発明は店舗のカウンター前または出入口の床に埋設した強盗捕獲槽である。これまで金品を要求する強盗に対し要求に応じ、強盗を捕獲することなく逃走を見逃してきた。再発防止の観点から強盗を捕獲すると共に強盗に対し店舗に強盗捕獲槽が設置されていることを知らしめることにより犯罪の抑止が図れる。【解決手段】  強盗捕獲槽は金品を要求する強盗を、カウンター内に設置した保持ピン駆動ペタルを従業員が操作することにより捕獲槽内に落とし込み捕獲する。強盗捕獲槽の駆動は人力以外の動力を必要としない。【選択図】          図１
2007249602.tif 000002
【特許請求の範囲】
【請求項１】
槽の上部に回転可能な蓋を取り付け、保持ピン駆動ペタルを操作することにより蓋が開く強盗捕獲槽であって、蓋に載っている強盗が従業員の保持ピン駆動ペタルの操作によって蓋の保持が外れて蓋が開き、強盗が槽内に落ち込むと蓋は閉まり槽内から開ける事ができないことを特徴とする強盗捕獲槽。
【請求項２】
前記強盗捕獲槽は蓋が開いて強盗が槽内に落ち込んだ後、蓋の端部に取り付けた錘により自動的に蓋が閉まり槽内から開ける事ができないことを特徴とする請求項１記載の強盗捕獲槽。
【請求項３】
前記強盗捕獲槽内に落ち込んだ強盗がその落下の衝撃で身体への損傷を防止するため強盗捕獲槽にネット（網）を取り付け、衝撃の吸収を図ることを特徴とした請求項２記載の強盗捕獲槽。
【請求項４】
前記強盗捕獲槽は人力による以外の動力源を有しないことを特徴とする請求項３記載の強盗捕獲槽。
【発明の詳細な説明】
【技術分野】
【０００１】
本発明は槽の上部に回転する蓋を備えた強盗捕獲槽であって、蓋の開閉は保持ピン駆動ペタル、強盗犯強盗の体重、蓋端部に取り付けた錘によって作動する強盗捕獲槽に関する。
【背景技術】
【０００２】
強盗捕獲槽の槽は鋼、ステンレス、アルミニウム、プラスチック、ＦＲＰ、コンクリート、木材等の種類があり、槽に使用される蓋は強盗の体重を支えられる強度を保有し、槽の上面に取り付けられ回転機能を有するものである。
【０００３】
槽に取り付けた蓋は保持ピン駆動ペタルを操作することにより槽と連結したワイヤーを介在して蓋を保持している保持ピンが外れ、それによって蓋上部に載った強盗の体重で蓋が回転して開き強盗は槽内に落下する。
【０００４】
強盗が槽内に落下した後、蓋は端部にある錘によって自動的に閉まり、保持ピン、ストッパーにより強盗は槽内から蓋を開けることができない。
【０００５】
槽内に取り付けられているネット（網）により、落ち込んだ強盗が落下の衝撃で身体への損傷を防止する。
【発明の開示】
【発明が解決しようとする課題】
【０００６】
上述のごとく強盗捕獲槽は蓋の上に載った強盗を従業員が保持ピン駆動ペタルを操作する事によって槽内に落下させ、落下した強盗が槽内から脱出できないよう蓋が自動的に元に戻って閉まり、保持ピン、ストッパーによって強盗が槽内から開けることができない。
【課題を解決するための手段】
【０００７】
強盗捕獲槽の上に載った強盗を瞬時にして槽内に落下させ、槽内から脱出できないよう蓋が自動的に閉まり、槽内から蓋を押し上げても外部から操作をしない限り開かないことを特徴とする。
【０００８】
このため、強盗捕獲槽の上に載った強盗を瞬時に槽内に落下させるため保持ピン駆動ペタルを従業員が作動させ、ワイヤーを介在して保持ピンを引く。これによって蓋の固定が外れ蓋は開き強盗の体重で槽内に落下する。
【０００９】
強盗捕獲槽内に強盗が落下すると蓋の端部の錘によって蓋は自動的に閉まり保持ピンが出て再び蓋を保持する。
【００１０】
閉まった蓋は槽内から押し上げても開かないように槽の端部にストッパー、引っ張っても開かないように保持ピンを以て蓋の開閉を固定する。
【発明の効果】
【００１１】
強盗捕獲槽の上に載った強盗を槽内に落下させて閉じ込め脱出を不可能とする。その後、保持ピン駆動ペタルを操作して蓋を開き槽内の強盗を捕獲する。
【発明を実施するための最良の形態】
【００１２】
以下、本発明の実施の形態を図面に基づき詳細に説明する。
【００１３】
図１〜図８は実施の形態に係り、図１は強盗捕獲槽外観斜視図、図２は強盗捕獲槽縦断面図、図３は強盗捕獲槽蓋回転治具部横断面図、図４は強盗捕獲槽蓋固定部横断面図、図５は強盗捕獲槽保持ピン部横断面図、図６は保持ピン部の構造図、図７はネット（網）斜視図、図８は保持ピン駆動ペタル斜視図である。
【００１４】
図１に示すように、槽１１は上部に蓋１２を取り付け、図８の保持ピン駆動ペタル１６を操作することにより、保持ピン駆動ペタル１６と保持ピン１７とを連結している保持ピン・駆動ペタル連結ワイヤー１４が引っ張られ、図２の蓋１２を保持している保持ピン１７が外れ、蓋１２上部に載っている強盗の体重で蓋１２は回転治具２０を中心に回転して開き、槽１１に強盗が落下する。
【００１５】
槽１１内に強盗が落下すると図２の蓋１２と錘吊りワイヤー１８とで連結された錘１３により蓋１２は自動的に閉まり、再び保持ピン１７によって蓋１２を保持する。
【００１６】
槽１１内に強盗が落下した強盗が槽１１から脱出を図るため蓋１２を持ち上げようとしてもストッパー１９によって蓋１２を押し上げることはできない。また、蓋１２を槽１１内から引っ張っても保持ピン１７によって蓋１２は保持されているため開くことはできない。
【００１７】
図６に示すように保持ピン１７はバネ２１によって常に槽１１内に押し出されている。保持ピン駆動ペタル１６を操作したときのみ保持ピン１７が引っ張られ、蓋１２の保持が解除される構造となっている。
【００１８】
槽１１内に落下した強盗を捕獲するには、保持ピン駆動ペタル１６を操作して蓋１２を開いて捕獲する。
【００１９】
槽１１内に落下した強盗が落下の衝撃で身体に受ける損傷を軽減するため槽１１内に図７のネット（網）２２を取り付けている。
【実施例】
【００２０】
強盗捕獲槽は店舗のカウンター前または出入口の床に埋設し、金品を要求する強盗をカウンター内に設置した保持ピン駆動ペタルを従業員が操作することにより強盗捕獲槽内に落とし込み捕獲する。これまでは強盗の要求に応じて金品を渡し逃走を見逃していたが、この強盗捕獲槽を設置してあるだけで犯罪を未然に防止する効果がある。
【図面の簡単な説明】
【００２１】
【図１】強盗捕獲槽外観斜視図
【図２】強盗捕獲槽縦断面図
【図３】強盗捕獲槽蓋回転治具部横断面図
【図４】強盗捕獲槽蓋固定部横断面図
【図５】強盗捕獲槽保持ピン部横断面図
【図６】保持ピンの構造図
【図７】ネット（網）斜視図
【図８】保持ピン駆動ペタル斜視図
【符号の説明】
【００２２】
１１  槽
１２  蓋
１３  錘
１４  保持ピン・駆動ペタル連結ワイヤー
１５  錘吊りワイヤー保持金具
１６  保持ピン駆動ペタル
１７  保持ピン
１８  錘吊りワイヤー
１９  ストッパー
２０  回転治具
２１  バネ
２２  ネット（網）
２３  ネット（網）取り付け枠
２４  ネット（網）受け用金具
【図１】
2007249602.tif 000003
【図２】
2007249602.tif 000004
【図３】
2007249602.tif 000005
【図４】
2007249602.tif 000006
【図５】
2007249602.tif 000007
【図６】
2007249602.tif 000008
【図７】
2007249602.tif 000009
【図８】
2007249602.tif 000010